(57)【要約】  本発明は不均質な密度プロファイルを有する少なくとも１つの層を備えた複合木材ボード（２）を製造する目的で、次の段階：（ａ）多数の木材粒子から粒子ケークを成す分散段階、（ｂ）粒子ケークを複合木材ボード（２）の層に圧縮成形する段階、を有する方法であって、（ｃ）粒子ケーク内部の少なくとも２つの範囲（４）に、所定の、量の異なる木材粒子を分散させることを特徴とする、複合木材ボード（２）の製造方法に関する。
2020536765.tif 000002
【特許請求の範囲】
【請求項１】
複合木材ボード（２６）の製造方法であって、前記製造方法は、
ａ）多数の木材粒子を分散させて粒子ケークを成すステップと、ここで、分散前に、及び／又は分散中に少なくとも１つの接着剤が前記木材粒子の少なくとも一部に塗布されるものであり、
ｂ）高温高圧下で前記粒子ケークを複合木材ボード（２６）に圧縮成形するステップと、を有し、
前記木材粒子の分散中に、少なくとも１つの添加剤（２８、３０）が前記粒子ケーク内部の異なる位置に、様々な量で配置されることを特徴とする、
複合木材ボード（２６）の製造方法。
【請求項２】
前記少なくとも１つの添加剤（２８、３０）に、少なくとも１つの接着剤、少なくとも１つの難燃剤、少なくとも１つの殺生物剤、少なくとも１つの木の膨潤調整剤、少なくとも１つの発泡剤、並びに／又は少なくとも１つの、前記複合木材ボード（２６）の光学的及び／若しくは触覚的及び／若しくは物理的性質、例えばその電気伝導度及び／若しくは熱伝導度を変化させる物質が含まれることを特徴とする、請求項１に記載の方法。
【請求項３】
異なる添加剤（２８、３０）、及び／又は異なる量の様々な添加剤（２８、３０）が、前記粒子ケーク内部の異なる位置に配置されることを特徴とする、請求項１又は請求項２に記載の方法。
【請求項４】
分散されて粒子ケークを形成する木材粒子の量が、前記粒子ケーク内における予期される位置に応じて変化することを特徴とする、請求項１から請求項３のいずれか一項に記載の方法。
【請求項５】
分散された木材粒子の量、ならびに配置された添加剤（２８、３０）の種類、及び／又は量が、前記複合木材ボード（２６）のかさ重量の配分が均一になるように選択されていることを特徴とする、請求項４に記載の方法。
【請求項６】
配置装置（１６）と電気式制御装置を有し、前記電気式制御装置が、前記木材粒子の分散中に少なくとも１つの添加剤（２８、３０）が異なる量で前記粒子ケーク内部の異なる位置に配置されるように前記配置装置（１６）を制御する目的で装備されている、請求項１から請求項５のいずれか一項に記載の方法を実施するための装置。
【請求項７】
前記電気式制御装置は、電子的データ記憶装置に保存された情報にアクセスし、前記情報に基づいて前記配置装置を制御するように構成された電子的データ処理装置を有することを特徴とする、請求項６に記載の装置。
【請求項８】
前記配置装置が、木材粒子分散用の少なくとも１つの分散ノズルと少なくとも１つの添加剤（２８、３０）分散用の少なくとも１つの添加剤ノズル（１８）とを備えた少なくとも１つの分散ヘッド（１８）を有することを特徴とする、請求項６又は請求項７に記載の装置。
【請求項９】
少なくとも１つの分散ヘッド（１８）が異なる添加剤（２８、３０）を分散させるための少なくとも２つの異なる添加剤ノズルを有することを特徴とする、請求項６から請求項８のいずれか一項に記載の装置。
【発明の詳細な説明】
【技術分野】
【０００１】
本発明は複合木材ボードの製造方法に関し、その際該方法は以下の段階を有する。
【０００２】
ａ）多数の木材粒子から粒子ケークを成す分散段階で、その際、分散前及び／又は分散中に少なくとも１つの接着剤が木材粒子の少なくとも一部に塗布されるもの。  
ｂ）高温高圧下で上記粒子ケークを複合木材ボードに圧縮成形する段階。  
本発明はさらにそうした方法を実施するための装置に関する。
【背景技術】
【０００３】
複合木材ボードは今日非常に様々な用途、例えば床材として、壁装材として、家具製造又は木造建築に使用される。複合木材は木材粒子と接着剤で製造され、通常は連続工程において熱と圧力の作用により複合木材ボードへと圧縮成形される。この方法は「熱プレス」として知られており、連続的又は間欠的に実施され得る。複合木材ボードの周知の代替物は、例えば、削片が複数の交互に交差する層に分散され得るＯＳＢ（ＥＮ３００規格による配向性ストランドボード）、木材チップが最上層と中間層に分散され得るＥＮ３１２規格によるパーティクルボード、又はこの場合は木繊維が通常単層のケーク状に分散されるＥＮ３１６規格によるファイバボードである。
【０００４】
特に製造コストを削減する目的で、特に、製造するべき複合木材ボードがその使用時に特別に大きな機械的応力を受けない状態である場合は、散布された粒子の量をボードの所々で減らすことが最新技術より知られている。
【０００５】
国際公開第２００５／０４６９５０号パンフレットは、複合木材ボードの中間層において散布された粒子の量を、制御ノズルを介して制御することを推奨する。欧州特許出願公開第２６５３２７９号明細書より、分散中に落下する木材粒子の分散過程から粒子を取り除き、この方法で複合木材ボードにおいて異なるか密度を達成することが知られている。取り除かれた粒子はその後さらなる分散過程に供給され得る。独国特許出願公開第１０２０１３００２２５９号明細書より、散布された粒子ケークの密度を測定し、その後選択したプロファイルを達成するために、所望の量の粒子を取り除くことが知られている。
【０００６】
上記の方法は全て、粒子ケークの組成自体は変化することなく、分散粒子の量のみを調整するべき場合にのみ可能である。複合木材ボードの他の性質を変化させる目的で、例えば複合木材ボードの熱伝導性、可燃性、又はその他の性質に影響を及ぼすために添加物を使用することが知られている。そのために必要な添加剤は共に粒子ケークの内部に分散される。特別な性質が例えば製造するべき複合木材ボードの最上層においてのみ必要とされる場合は、欧州特許出願公開第２４８７０１６号明細書において、後で粒子ケーク上に注がれて、この内部に浸透する液体を用意することが推奨される。これは当然粒子ケークの最上層においてのみ可能である。
【先行技術文献】
【特許文献】
【０００７】
【特許文献１】国際公開第２００５／０４６９５０号パンフレット
【特許文献２】欧州特許出願公開第２６５３２７９号明細書
【特許文献３】独国特許出願公開第１０２０１３００２２５９号明細書
【特許文献４】欧州特許出願公開第２４８７０１６号明細書
【発明の概要】
【０００８】
したがって本発明の課題は、製造するべき複合木材ボードの物理的及び／又は化学的性質を空間的にほぼ制限なく調整できる方法を提供することである。前記の課題は本発明により、木材粒子の分散中に少なくとも１つの添加剤を異なる量で粒子ケーク内部の異なる位置に配置することを特徴とする請求項１の上位概念に記載の方法によって解決される。この方法で粒子ケークの局在組成を変化させ、例えば様々な箇所における粒子量を変化させるだけではなく、例えば添加剤に対する木材粒子の割合及び／又は添加剤に対する接着剤の割合を個別に調整することが可能である。これは後で粒子ケークから粒子を除去することでは達成できない。さらに、木材粒子と添加剤が順次層状に注がれた場合に発生し得る不均質性と成層が回避される。有利に、上記の少なくとも１つの添加剤には、少なくとも１つの接着剤、少なくとも１つの難燃剤、少なくとも１つの殺生物剤、少なくとも１つの木の膨潤調整剤、少なくとも１つの発泡剤、及び／又は少なくとも１つの、複合木材ボードの光学的及び／又は触覚的及び／又は物理的及び／又は化学的性質、例えばその電気伝導度及び／又は熱伝導度を変化させる物質が含まれる。その際考慮の対象となるのは、ガラス球、発泡ガラス又は膨張性粘土、膨張可能で主として液体を充填したプラスチック球、白亜、滑石又は石英粉末及び／又は例えばブランコフォルの名称で販売されるスチルベンといった光学増白剤、又は有機蛍光物質である。二酸化チタン又は炭酸カルシウムといった、より明色のボードを生み出す白色顔料も追加され得る。これは例えばボード上にダイレクト印刷で模様を付ける場合に有利である。予めボードが白く下塗りされるが、そのためにはできるだけ明色のボードが有利である。出発材の色、つまりこの場合は複合木材ボードの色が明るいほど、白の下塗りの効果がより早く現れる。
【０００９】
追加又は代替として、複合木材ボード又はその最上層の少なくとも１つの層を着色する他の顔料又は色素が追加され得る。それによって多色でもあり得る、例えば縞模様、幾何学模様又は他の着色が達成され得る。染料及び顔料は各々、又は例えば添加剤の分配と配置を認識する目的で、他の、必要に応じて無色の添加剤と共にも使用され得る。少なくとも１つの添加剤の追加によって変更又は調整され得るさらなる性質の例としては、例えばパラフィンによる疎水化、及び適切なキャッチャ剤の追加によるＶＯＣ低減があり得る。その際、本明細書に記載の性質及び添加剤の一覧は全てを網羅するものではなく、抜粋と考えるべきものである。
【００１０】
膨張剤、例えばガラス球、発泡ガラス又は膨張性粘土によって、製造するべきボードの一定の箇所におけるかさ密度が低減され、これは特に、所望の箇所において予期され得る機械的応力がないか、あるいはその程度が大きくない場合に有利である。この方法で、該ボードはより軽量に、したがって末端使用者が扱いやすく形成され得る。
【００１１】
粒子ケーク内部の異なる位置において、木材粒子の分散中に１つの添加剤が異なる量で配置され、これらの位置は３つの空間次元全てにおいて異なり得る。１つの層の内部で、ｘ方向及び／又はｙ方向において異なる配分を使用することができ、当然、それに対して垂直のｚ方向において異なる配分を使用することも可能である。多くの性質が例えば複合木材ボードの縁領域においてのみ、又は複合木材ボードの中央領域においてのみ用いられる。したがって、例えば湿気の侵入に対する防水加工は特に最上層において有利であり、その一方で、例えばより僅かなかさ密度、したがってより僅かな重量は、特に中央のコア層において有利である。当然、複合木材ボードの一部の帯部又は範囲において一定の性質を考慮するが、その後この性質を厚さ全体にわたって分配することも有効であり得る。これは例えば複合木材ボードを建築材として用いる場合の熱伝導性に該当する。電気伝導性、又は殺生物剤によって生じ得る、例えばカビに対する抵抗性も、空間的に異なる範囲において異なる強さで示しておくことができる。
【００１２】
有利に、粒子ケーク内部の異なる位置に、異なる添加剤の配置及び／又は様々な添加剤の異なる量での配置が行われる。特に、異なる性質に影響を及ぼす目的で、１枚の複合木材ボードに複数の様々な添加剤を用いることが多くの用途に有利である。その際、異なる添加剤の各々を空間的に不均質に分配しておくことができ、その結果、上記の状況が生じ得る。一部の箇所においては使用された添加剤の１つ又はいくつかのみが存在し、その一方で、複数の異なる箇所においては全ての添加剤が存在するが、これらの位置における異なる添加剤の量の割合は異なる。その際量の割合に制限は設けられていない。
【００１３】
主として、粒子ケーク状に分散される複合木材粒子の量も、該粒子が予期され得る粒子ケーク内の位置によって変化がつけられる。その際、分散された木材粒子の量、ならびに配置された添加剤の種類及び／又は量は、有利に、複合木材ボードのかさ重量が均一になるように選択されている。
【００１４】
さらに前記の課題は本発明により、配置装置と電気式制御装置を有し、該制御装置が、木材粒子の分散中に少なくとも１つの添加剤が異なる量で粒子ケーク内部の異なる位置に配置されるように配置装置を制御する目的で装備されている、所定の方法を実施するための装置によって解決される。
【００１５】
主として電気式制御装置には、電子的データ記憶装置に保存された情報にアクセスし、この情報に基づいて配置装置を制御するために装備されている電子的データ処理装置が含まれる。該電子的データ記憶装置は本装置の一部であり得る。その代替又は追加として、電気式制御装置は外部の電子的データ処理システム、例えばラップトップＰＣ又はデスクトップＰＣとの通信用のインタフェースを有し、その際該電子的データ記憶装置はこの電子的データ処理システムの一部である。通信は有線又は無線で、例えば無線ＬＡＮ又はブルートゥース（登録商標）を介して行われ得る。
【００１６】
主として配置装置は木材粒子分散用の少なくとも１つの分散ノズル、及び少なくとも１つの添加剤分散用の少なくとも１つの添加剤ノズルを備えた少なくとも１つの分散ヘッドを有する。特に好ましくは、該少なくとも１つの分散ヘッドは異なる添加剤を分散させるための少なくとも２つの異なる添加剤ノズルを有する。
【００１７】
添付の図面を用いて以下に本発明の実施例がより詳細に解説される。
【図面の簡単な説明】
【００１８】
【図１】１つの方法を実施するための装置の略図である。
【図２】複合木材ボードの略図である。
【発明を実施するための形態】
【００１９】
図１は複合木材ボードの製造装置を示す。まず、木材２が用意され、これが粉砕機４において木材チップに粉砕される。該木材チップが洗浄装置６において洗浄され、その後、圧力容器において煮沸されてから、精製機８において繊維溶解が行われる。精製機の後に、接着剤塗布装置１０において接着剤が添加され、その結果、木材粒子が接着された状態になる。これが乾燥装置１２において乾燥され、次に選別装置において品質検査が行われる。その後、接着された木材粒子は、ここに示した実施例においては複数の分散ヘッド１８を有し、その内の３つが図示されている配置装置１６に供給される。その際左の分散ヘッド１８のみが実線で示されている。その他は任意選択であることを示すために破線で示されている。様々な分散ヘッド１８は、異なる添加剤を散布して、内部に分散させ、それによって、添加剤を分散された粒子ケークの中に配置するために用いられる。ここには示されない追加の分散ヘッドが、木材粒子を分散させるために存在する。長さが異なる破線２０は、異なる分散ヘッド１８から異なる添加物が散布されることを示す。ここに示した実施形態に対する代替として、様々な分散ヘッド１８を用いて、まず分散させるべき粒子と添加剤を混合し、次にこれを図１には示されていない総合分散ヘッドを介して注ぐことも可能である。この方法で、製造するべき複合木材ボードの各位置に必要とされる添加剤と材料が混合された状態で存在することが保障される。この方法で階層化が確実に回避される。
【００２０】
次に、上記のように分散された粒子ケークは、一次圧縮機２２に達してから、熱プレス機２４において複合木材ボードに圧縮成形される。
【００２１】
図２は複合木材ボード２６の概略断面図である。小円形状で示されている、例えばガラス球又は膨張性粘土であり得る第１の添加剤２８が上面３２と下面３４の間の平面にほぼ均質に分配されていることが分かる。この方法で、この範囲において例えば複合木材ボード２６のかさ密度が低減され、したがって重量が節減され得る。線形状で示されている第２の添加剤３０は、複合木材ボード２６の中に棒状に配置されている。この場合に対象となり得るのは、例えば該ボードの電気伝導度及び／又は熱伝導度を増大又は低下させることによって、一定の熱及び／又は電荷の伝達経路を発生させる添加剤である。
【符号の説明】
【００２２】
２  木材
４  粉砕機
６  洗浄装置
８  精製機
１０  接着剤塗布装置
１２  乾燥装置
１４  選別装置
１６  配置装置
１８  分散ヘッド
２０  破線
２２  一次圧縮機
２４  熱プレス機
２６  複合木材ボード
２８  第１の添加剤
３０  第２の添加剤
３２  上面
３４  下面
【図１】
2020536765.tif 000003
【図２】
2020536765.tif 000004
【国際調査報告】
2020536765.tif 000005
2020536765.tif 000006
2020536765.tif 000007
2020536765.tif 000008
2020536765.tif 000009